(57)【特許請求の範囲】
【請求項１】
くつ下編機で製編して得られたくつ下が、その踵部の外踝側又は内踝側にまち部が偏って編み込まれ、前記踵部が外踝側又は内踝側に偏る非対称形に形成されたくつ下であって、
前記くつ下を履いたとき、前記まち部の端縁が踵部の外踵側又は内踝側に位置することを特徴とするくつ下。
【請求項２】
踵部の外踝側又は内踝側に位置するまち部の端縁が、実質的にＶ字状である請求項１記載のくつ下。
【請求項３】
踵部の外踝側又は内踝側に編み込まれたまち部が、踵部の他部分よりも粗い編目で形成されている請求項１又は請求項２記載のくつ下。
【請求項４】
くつ下が、その爪先部の最先端位置が親指側に偏って位置する非対称形であって、前記爪先部の形状が、親指が他の指よりも太い人の足の形状に近似するように、小指側よりも親指側の膨らみを増加する膨らみ増加用編立部分が、前記爪先部に先端部で且つ親指側に偏って編み込まれている請求項１〜３のいずれか一項記載のくつ下。
【請求項５】
くつ下編機によってくつ下を製編する際に、
該くつ下の踵部を製編するとき、まち部を踵部の外踝側又は内踝側に偏って編み込み、前記踵部を外踝側又は内踝側に偏る非対称形に形成できるように、前記くつ下編機の編み立て方向を前記踵部の外踝側又は内踝側にシフトさせつつ製編することを特徴とするくつ下の製造方法。
【発明の詳細な説明】
【０００１】
【発明の属する技術分野】
本発明はくつ下及びその製造方法に関し、更に詳細にはくつ下編機で製編して得られたくつ下及びその製造方法に関する。
【０００２】
【従来の技術】
図９に示す従来のくつ下１００は、通常、足の入口部から踵部１０２の方向に筒編して筒編部１０６ａを編み立てた後、踵部１０２を編立てる。更に、踵部１０２から爪先部１０４の方向に筒編して筒編部１０６ｂを編立てた後、筒編部１０６ｂの甲部に形成された開口部の端部を逢着することによって得ることができる。この開口部を逢着した部分を図９においては、逢着部１０８として示す。
図９に示すくつ下１００は、工業的にはくつ下編機、例えば複数本の編針が周囲に配設された針釜を一定方向に回転して編み立てる回転動作と、この針釜を正逆方向に交互に回動して編み立てる回動動作とを併せ持つ丸編機を用いて製編される。かかる編針は、図１０（ａ）に示す様に、先端部に設けられた鉤部５２を一端部で開閉するベラ５４の他端部が、鉤部５２の首部に設けられた釘５６に回動自在に軸着されているものである。また、針釜は、図１０（ｂ）に示す様に、筒状部材６２の外周面に複数本の縦溝６４、４６・・が形成され、この縦溝６４の各々に図１０（ａ）に示す編針５０が上下動可能に挿入されているものである。この針釜６０を一定方向に回転させるとき、所定箇所で編針５０が順次持ち上げられて編み立て動作を行う。
【０００３】
図１０に示す編針５０と針釜６０とを具備する丸編機によって、図９に示すくつ下１００の踵部１０２の製編手順を、図１１（ａ）（ｂ）により説明する。図１１（ａ）は、踵部１０２を後方向（図９に示す矢印Ｃ方向）から見た部分側面図であり、図１１（ｂ）は、踵部１０２を足裏方向（図９に示す矢印Ｄ方向）から見た部分底面図である。
先ず、針釜６０を一定方向に回転させて所定長さの筒編部１０６ａを、図１１（ａ）に示すＸＹ位置まで編み立てた後、針釜６０を正逆方向に回動させつつ編み立てに関与する編針５０の針数（以下、編み立てに関与する針数と称することがある）を順次減少させて図１１（ａ）に示すＺＷ位置まで編み立てる。
引き続き、図１１（ａ）に示すＺＷ位置まで編み立て後、くつ下１００の甲部を形成する筒状部１０６ｂを示す図１１（ｂ）のＸＹ位置まで、針釜６０を正逆方向に回動させつつ編み立てに関与する針数を順次増加させて編み立てることによって、踵部１０２を形成できる。
ここで、踵部１０２の後方を形成する後方踵部１０２ａと、踵部１０２の前方を形成する前方踵部１０２ｂとの端縁には、後方踵部１０２ａと前方踵部１０２ｂとを形成するループの一部が互いに絡み合わされて成る連結線ＸＺ、ＹＷが形成されている。この連結線ＸＺ、ＹＷは、針釜６０が正方向又は逆方向に回動した際の回動端でもある。
更に、図１１（ｂ）に示すＹＸ位置まで編み立てた後、針釜６０の編み立てに関与する針数を所定本数に保持しつつ、針釜６０を一定方向に回転させて筒編部１０６ｂに形成する。
次いで、爪先部１０２を編み立て、更に筒編部１０６ｂの開口部まで製編した後、開口部を逢着して逢着部１０８としてくつ下１００を完成する。
【０００４】
【発明が解決しようとする課題】
図９に示すくつ下１００では、丸編機の針釜６０を正逆方向に回動させつつ編み立てに関与する針数を順次増減させて踵部１０２を編み立てる際に、針数の増減は実質的に同数であるため、丸編機の編み立て方向はくつ下の中心線方向で一定している。従って、得られたくつ下１００の踵部１０２は、図１１（ａ）（ｃ）に示す様に、左右対称形に形成される。
しかし、人の足の踵は、外見上では左右対称であるように見えても、図１２に示す様に、足の骨格を形成する踵骨７０は、腓骨の末端に位置する外踝７２の側（以下、単に外踝側と称することがある）に片寄っており、脛骨の末端に位置する内踝７４の側（以下、単に内踝側と称することがある）には、土踏まずが存在し、歩く際には、踵部１０２の外踝側に力が加えられ易い。
また、人の両足は、多少ともＸ脚気味又はＯ脚気味であるため、歩く際に、踵部１０２の外踝側又は内踝側に力が加えられ易いのが実情である。
このため、図９又は図１１に示す踵部１０２が左右対称に形成されているくつ下１００を履いて歩く際に、くつ下１００の踵部１０２は、外踝側又は内踝側が引っ張られて緊張するため、くつ下１００の履き心地が低下し、踵部１０２の外踝側又は内踝側を形成する生地も損傷され易い。
そこで、本発明の課題は、くつ下を履いて歩く際に、くつ下の履き心地を良好にでき、踵部の外踝側又は内踝側の生地が損傷され難いくつ下及びその製造方法を提供することにある。
【０００５】
【課題を解決するための手段】
本発明者等は、前記課題を解決すべく検討した結果、くつ下の踵部にまち部を偏って編み込むことによって、くつ下を履いて歩く際に、くつ下の履き心地が良好で且つ踵部の外踝側又は内踝側の生地が損傷され難いことが判明し、本発明に到達した。
すなわち、本発明は、くつ下編機で製編して得られたくつ下が、その踵部の外踝側又は内踝側にまち部が偏って編み込まれ、前記踵部が外踝側又は内踝側に偏る非対称形に形成されたくつ下であって、前記くつ下を履いたとき、前記まち部の端縁が踵部の外踵側又は内踝側に位置することを特徴とするくつ下にある。
また、本発明は、くつ下編機によってくつ下を製編する際に、該くつ下の踵部を製編するとき、まち部を踵部の外踝側又は内踝側に偏って編み込み、前記踵部を外踝側又は内踝側に偏る非対称形に形成できるように、前記くつ下編機の編み立て方向を前記踵部の外踝側又は内踝側にシフトさせつつ製編することを特徴とするくつ下の製造方法でもある。
【０００６】
かかる本発明において、踵部の外踝側又は内踝側に位置するまち部の端縁を、実質的にＶ字状とすることにより、くつ下編機によってまち部を容易に形成できる。
更に、踵部の外踝側又は内踝側に偏って偏って編み込まれたまち部を、踵部の他部分よりも粗い編目で形成することによって、まち部を更に容易に形成できる。
また、くつ下として、その爪先部の最先端位置が親指側に偏って位置する非対称形であって、前記爪先部の形状を、親指が他の指よりも太い人の足の形状に近似するように、小指側よりも親指側の膨らみを増加する膨らみ増加用編立部分を、前記爪先部に先端部で且つ親指側に偏って編み込んだくつ下とすることによって、くつ下の爪先部を人の足の爪先と近似した形状にでき、踵部に編み込んだまち部と相俟ってくつ下の履き心地を良好とすることができる。
【０００７】
従来のくつ下では、図９及び図１１に示す如く、踵部も左右対称に形成されている。一方、人の足の踵部は、図１２に示す様に、非対称形である。このため、踵部が左右対称に形成されたくつ下を履いて歩いたとき、力が加えられる踵部の外踝側又は内踝側の生地が引っ張られて緊張し、くつ下の履き心地等を低下させ、踵部の生地も損傷され易い。
この点、本発明に係るくつ下は、くつ下を履いたとき、踵部の外踝側又は内踝側にまち部の端縁が位置するように、まち部が踵部の外踝側又は内踝側に偏って編み込まれており、踵部は外踝側又は内踝側に偏る非対称に形成されている。このため、本発明に係るくつ下を履いて歩いたとき、力が加えられる踵部の外踝側又は内踝側の生地が引っ張られて緊張する程度を緩和でき、くつ下の履き心地等を向上できると共に、踵部の生地も損傷され難くできる。
【０００８】
【発明の実施の形態】
本発明に係るくつ下の一例を図１及び図２に示す。図１及び図２に示すくつ下１０は、人の左足に履いた状態を示し、図１は、人の左足に履いたくつ下１０の外踝側から見た状態を示す斜視図である。また、図２は、人の左足に履いたくつ下１０の踵部１２を内踝側から見た状態を示す部分斜視図である。
図１及び図２に示すくつ下１０では、その踵部１２にまち部２０が外踝側に偏って編み込まれている。このため、まち部２０のＶ字状の端縁は、図１に示す様に、くつ下１０の外踝側に位置し、くつ下１０の外踝側から見える。一方、くつ下１０の内踝側には、図２に示す様に、図９に示す従来のくつ下１００と同様に、踵部１２の側面側１２ａと足裏側１２ｂとを形成するループの一部が互いに絡み合わされて成る連結線が見えるが、まち部２０のＶ字状の端縁は見えない。
【０００９】
かかる図１及び図２に示すくつ下１０の踵部１２について、踵部１２を後方（図１に示す矢印Ａ方向）から見た部分側面図を図３（ａ）に示し、踵部１２を足裏方向（図１に示す矢印Ｂ方向）から見た部分底面図を図３（ｂ）に示す。
図３（ａ）（ｂ）から明らかな様に、くつ下１０の踵部１２には、その外踝方向に偏ってまち部２０が編み込まれている。このため、くつ下１０を履くと、図１に示す様に、くつ下１０の踵部１２の外踝側には、偏って編み込まれたまち部２０による余裕ができる。
従って、外踝側に偏って位置する踵骨７０（図１２）等に起因し、歩く際に、力が加えられる踵部１２の外踝側の生地が引っ張られて緊張する程度を緩和でき、くつ下１０の履き心地等を、従来のくつ下１００よりも向上できると共に、踵部１２の生地も損傷され難くできる。
【００１０】
かかる図１〜図３に示すくつ下１０は、市販されている丸編機等のくつ下編機を用いて製編でき、足の入口部から踵部１２の方向に筒編して筒編部１６ａを編み立てた後、まち部２０が偏って編み込まれた踵部１２を編立てる。更に、踵部１２から爪先部１４の方向に筒編して筒編部１６ｂを編立てた後、筒編部１６ｂの甲部に形成された開口部の端部を逢着することによってくつ下１０を得ることができる。この開口部を逢着した部分を逢着部１８として示す。
かかる踵部１２は、まち部２０を踵部１２の外踝側に偏って編み込むように、くつ下編機の編み立て方向を踵部２０の外踝側にシフトさせつつ製編することによって形成できる。
図３（ａ）（ｂ）を用い、図１０に示す丸編機によって、まち部２０が外踝側に偏って編み込まれた踵部１２を編み立てる場合を説明する。
【００１１】
先ず、針釜６０を一定方向に回転させて所定長さの筒編部１６ａ（図１,図２）を編み立てた後、針釜６０を正逆方向に交互に回動し、編み立てに関与する編針５０の針数を増減させてくつ下１０の踵部１２を編み立てる。かかる針数の増減は、正逆方向に回動する針釜６０が回動方向を変更する際に行う。
この様に、針釜６０の正逆方向への回動及び編針５０の針数を増減させて踵部２０を製編する際に、所定長さの筒編部１６ａを編み立てた針釜６０がａｂ位置に到達した後、編み立てに関与する編針５０の針数（以下、単に針数と称することがある）を順次減少させてｃｄ位置まで編み立てる。この場合、針釜が正方向に回動した際の針数の減少数と、逆方向に回動した際の針数の減少数とが実質的に同数である。
更に、ｃｄ位置まで編み立てた後、ｃ位置側に針釜６０が回動する際に、針数を順次増加させてｅ位置まで編み立てると同時に、ｄ位置側に針釜６０が回動する際に、針数を順次減少させてｆ位置側まで編み立てることによって、編み立て方向を踵部１２の外踝側方向にシフトさせつつ編み立てることができる。その結果、踵部１２の後方部を形成する後方踵部１２ａに、まち部２０の後方部を形成する後方まち部２０ａを、後方踵部１２ａの外踝側に偏って編み込むことができる。
【００１２】
次いで、ｆ位置側に針釜６０が回動する際に、針数を増加させてｄ位置まで編み立てると同時に、ｅ位置側に針釜６０が回動する際に、針数を減少させてｈ位置［図３（ｂ）］まで編み立てることによって、編み立て方向を踵部１２の外踝側方向にシフトさせつつ編み立てることができる。その結果、踵部１２の前方側を形成する前方踵部１２ｂに、まち部２０の前方側を形成する前方まち部２０ｂを、前方踵部１２ｂの外踝側に偏って編み込むことができる。この様にして形成した後方まち部２０ａと前方まち部２０ｂとは一体化されてまち部２０を形成し、このまち部２０の全体は踵部１２の外踵側に偏って形成される。
この様に、ｈｄ位置まで編み立てた後、針数を順次増加させてａｂ位置まで編み立てることによって踵部１２を形成できる。このｈｄ位置からａｂ位置までの編み立てでは、針釜６０が正方向に回動した際の針数の増加数と、逆方向に回動した際の針数の増加数とが実質的に同数である。
更に、ａｂ位置まで編み立てた後、従来と同様にして筒編部１６ｂ及び爪先部１４を編み立てることによって、くつ下１０を完成できる。
【００１３】
これまでの説明では、図１〜図３に示すくつ下１０は、左足用くつ下として説明してきたが、踵部１２を除いて左右対称であるため、図１〜３に示すくつ下１０を左足に履くことも可能である。この様に、図１〜図３に示すくつ下１０を右足に履くと、踵部１２のまち部２０は内踝側に位置するようになる。
このため、くつ下１０を左足に履いて履いて歩いた際に、くつ下１０の履き心地や踵部１２の生地の損傷程度が改善されない場合には、歩く際に、くつ下の内踝側に力が加えらていることがあり、くつ下１０を右足に履くことによって、履き心地や踵部１２の生地の損傷程度が改善されることがある。
【００１４】
また、踵部１２の所定個所の編目を、踵部１２の他部の編目よりも粗くすることによっても、まち部を形成できる。編目の粗いまち部は、踵部１２の他部よりも伸長され易いためである。
更に、図１〜図３に示すまち部２０を、踵部１２の他部よりも粗い編目で形成することによって、まち部２０の面積を小さくできる。踵部１２の他部よりも粗い編目で形成されたまち部２０は、踵部１２の他部よりも伸長され易いからである。
尚、踵部１２にまち部２０が形成されたくつ下１０には、歩く際に、くつ下１０に力が加えられる踵部１２以外の部分、例えば踵部１２と爪先部１４との間にもまち部を形成してもよい。
【００１５】
ところで、図１〜図３に示すくつ下１０は、従来のくつ下１００よりも履き心地等が向上できるが、その爪先部１４は左右対称形であるため、くつ下１０を履くと、足の爪先に圧迫感を感じる。人の足の爪先は、親指が他の指よりも太い非対称形であり、くつ下１０をの人の足に履くと、くつ下１０の爪先部１４によって親指が他の指の方向に圧迫され、同様に小指も親指方向に圧迫されるからである。
この点、くつ下１０の爪先部１４を、図４（ａ）〜（ｃ）に示す形状の爪先部３２とすることによって、くつ下１０を履いたときの爪先に感ずる圧迫感を減少でき、まち部２０が偏って形成された踵部１２と相俟って、くつ下１０の履き心地を更に向上できる。
【００１６】
この爪先部３２は、図４（ａ）〜（ｃ）に示す様に、その最先端位置が中心線Ｘよりも親指側に偏って位置する非対称形であって、爪先部３２の形状が、親指が他の指よりも太い人の足の形状に近似するように、小指側よりも親指側の膨らみを増加する膨らみ増加用編立部分４０ａ，４０ｂが、爪先部３２に先端部で且つ親指側に偏って編み込まれているものである。
かかる図４（ａ）〜（ｃ）のうち、図４（ａ）は爪先部３２を甲部側から見た図であり、図４（ｃ）は爪先部３２の先端側から見た図である。また、図４（ｃ）は爪先部３２を足裏側から見た図である。
【００１７】
図４（ａ）〜（ｃ）に示す爪先部３２も、図１０に示すくつ下編機によって編むことができる。
先ず、針釜６０を一定方向に回転させて所定長さの筒編部１６ｂを編み立てた後、針釜６０を正逆方向に交互に回動させ、編み立てに関与する編針５０の針数を増減させることによってくつ下の爪先部３２を編み立てる。かかる針数５０の増減は、正逆方向に回動する針釜が回動方向を変更する際に行う。
図４に示す爪先部３２を編み立てる際には、くつ下の足裏側１６ｂを示す図４（ｃ）のＨＩ位置まで編み立てた後、編み立てに関与する編針５０の針数（以下、単に針数と称することがある）を順次減少させてＪＫ位置まで編み立てる。この場合、針釜６０が正方向に回動した際の針数の減少数と、逆方向に回動した際の針数の減少数とが実質的に同数である。
更に、ＪＫ位置まで編み立てた後、Ｊ位置側に針釜６０が回動する際に、針数を順次増加させてＨ位置まで編み立てると同時に、Ｋ位置側に針釜６０が回動する際に、針数を順次減少させてＬ位置側まで編み立てることによって、編み立て方向をくつ下の親指側３６の方向にシフトさせつつ編み立てることができる。その結果、爪先部３２の足裏側１６ａに、膨らみ増加用編立部分４０ａを親指側３６に偏って編み込むことができる。
【００１８】
次いで、Ｈ位置側に針釜６０が回動する際に、針数を増加させてＭ位置まで編み立てると同時に、Ｌ位置側に針釜６０が回動する際に、針数を減少させてＫ位置側まで編み立てることによって、編み立て方向をくつ下の親指側３６の方向にシフトさせつつ編み立てることができる。その結果、甲部側に膨らみ増加用編立部分４０ｂを親指側３６に偏って編み込むことができる。この膨らみ増加用編立部分４０ａ、４０ｂは一体化されている。
この様に、ＭＫ位置まで編み立てた後、針数を順次増加させてＨＩ位置まで編み立てることによって爪先部３２を形成できる。このとき、針釜６０が正方向に回動した際の針数の増加数と、逆方向に回動した際の針数の増加数とが実質的に同数である。
【００１９】
更に、ＨＩ位置まで編み立てた後、針数を所定本数に保持しつつ、くつ下の甲部側１６ｂに形成された最終端となる開口部まで製編し逢着部１８とする。
ここで、爪先部１２を形成する部分の各端縁には、各部分の縁部を形成するループの一部が互いに絡み合わされて連結されて成る連結線ＨＪ、ＩＫ、ＫＬ、ＨＭが形成されている。この連結線ＨＪ、ＩＫ、ＫＬ、ＨＭは、針釜が正方向又は逆方向に回動した際の回動端でもある。
かかる連結線のうち連結線ＨＪ、ＨＭは、親指側３６の側面部を形成する膨らみ増加用編立部分４０ａ、４０ｂの端縁であり、図４においては、爪先部３２の親指側３６の側面〔図４（ｂ）の矢印ＡＡの方向〕から見たときＶ字状である。
これまでの図３及び図４の説明において、「針釜６０が正方向に回動した際の針数の増加数と、逆方向に回動した際の針数の増加数とが実質的」とは、針釜６０が正方向に回動した際の針数の減少数又は増加数と、逆方向に回動した際の針数の減少数と増加数との間に、編み立てに関与する編針５０の針数の約１０％程度が相違してもよいことを意味する。
また、図１〜図３に示すくつ下１０の爪先部は、図４に示す爪先部３２の他に足袋様や五本指に分割された分割爪先部としてもよい。
更に、図１〜図３に示すくつ下１０は、その爪先部が左右対称であるため、踵部１２の側方の一方側にまち部２０が偏って編み込まれていれば、歩く際に、踵部１２の力が加えられる側にまち部２０が位置するようにくつ下１０を履けば対応可能である。
一方、図４に示す様に、履く足が予め決められたくつ下では、歩く際に、踵部の力が加えられる側にまち部２０が位置するように、踵部１２の外踝側又は内踝側にまち部２０を偏って編み込むことが好ましい。
【００２０】
以上，説明してきた図１〜図４に示すくつ下１０の踵部１２のまち部２０は、図３に示す様に、その大分部が足裏側に形成されているが、図５に示す様に、まち部２０のＶ字状の端縁（連結線ｅｃ，ｅｈ）を踝近傍に形成することにより、まち部２０の全体を踝側にシフトさせてもよい。この様に、まち部２０のＶ字状の端縁を踝近傍に形成することによって、踵部１２の側方の一方側に、図１に示すまち部２０よりも大きなまち部２０を形成できる。
また、まち部２０の形状は、くつ下１０を履く人の踵に合わせて自由に変形することができる。例えば、図６に示す様に、複数のＶ字状の連結線を放射状に形成し、複数のまち部２０，２０を放射状に形成してもよく、図７に示す様に、複数のＶ字状の連結線を直線状に形成し、まち部２０内にまち部２０を形成してもよい。更に、図８に示す様に、Ｖ字状の連結線の一方の先端からＶ字状の連結線を形成し、複数のまち部２０，２０を網目状に形成してもよい。
この様に、踵部１２に複数個のまち部２０，２０・・を形成することによって、くつ下１０を履く人の踵に合わせた踵部１２の形状に更に近似でき、踵部１２の側方の一方側全体を、踵部１２の他方側に比較して膨らみを付加できる。
尚、図５〜図８に示すくつ下１０の踵部１２でも、踵部１２の内踝側から見た状態は、図２に示す様に、踵部１２の側面側１２ａと足裏側１２ｂとを形成するループの一部が互いに絡み合わされて成る連結線が見えるが、まち部２０のＶ字状の端縁は見えない。
【００２１】
【発明の効果】
本発明に係るくつ下は、履いて歩いたとき、力が加えられる踵部の外踝側又は内踝側の生地が引っ張られて緊張する程度を緩和でき、くつ下の履き心地等を向上できると共に、踵部の生地も損傷され難くできる。
【図面の簡単な説明】
【図１】  本発明に係るくつ下の一例を示す斜視図である。
【図２】  図１に示すくつ下の踵部を反対側から見た部分斜視図である。
【図３】  図１に示す矢印Ａ方向又は矢印Ｂ方向から見たくつ下の踵部の側面図及び底面図である。
【図４】  本発明に係るくつ下の他の例を説明する説明図である。
【図５】  本発明に係るくつ下の踵部の他の例を説明する部分斜視図である。
【図６】  本発明に係るくつ下の踵部の他の例を説明する部分斜視図である。
【図７】  本発明に係るくつ下の踵部の他の例を説明する部分斜視図である。
【図８】  本発明に係るくつ下の踵部の他の例を説明する部分斜視図である。
【図９】  従来のくつ下の斜視図である。
【図１０】  くつ下編機としての丸編機を説明する説明図である。
【図１１】  図９に示すくつ下の矢印Ｃ方向又は矢印Ｄ方向から見たくつ下の踵部の側面図及び底面図である。
【図１２】  人の足の骨格を説明する説明図である。
【符号の説明】
１０  くつ下
１２  踵部
１２ａ  後方踵部
１２ｂ  前方踵部
１４，３２  爪先部
１６ａ，１６ｂ  筒状部
１８  逢着線
２０  まち部
２０ａ  後方まち部
２０ｂ  前方踵部
３６  親指側
４０ａ，４０ｂ  膨らみ増加用編立部分
【図１】
0004147013.tif 000002
【図２】
0004147013.tif 000003
【図３】
0004147013.tif 000004
【図４】
0004147013.tif 000005
【図５】
0004147013.tif 000006
【図６】
0004147013.tif 000007
【図７】
0004147013.tif 000008
【図８】
0004147013.tif 000009
【図９】
0004147013.tif 000010
【図１０】
0004147013.tif 000011
【図１１】
0004147013.tif 000012
【図１２】
0004147013.tif 000013